(57)【要約】  【課題】  ワイヤレスマイクの送信機側で、送受信機間の音声などのモニターを可能とするワイヤレスシステムを提供する。  【解決手段】  ワイヤレスマイク受信機１２からワイヤレスマイク送信機１側に対し、ワイヤレスマイク受信機１２で受信された音声データのレベルメータデータを送信するように、相互通信なワイヤレスマイクシステムを構成する。ワイヤレスマイク送信機１上で、送信機側音声レベルと受信機側音声レベルを同時に表示させる。ワイヤレスマイク送信機１の使用者が、手元のワイヤレスマイクの表示で、視覚的にワイヤレスマイクの送受信の音声をモニターできる。音声レベルの代わりにＲＦレベルがモニターされてもよい。【選択図】  図１
2006238038.tif 000002
【特許請求の範囲】
【請求項１】
相互通信が可能なワイヤレスマイク送信機とワイヤレスマイク受信機とを備えたワイヤレスマイクシステムであり、
前記ワイヤレスマイク送信機は、
音声入力手段と、
入力された音声を前記ワイヤレスマイク受信機に対して送出するための音声データ送信手段と、
送信側モニタリングのレベルメータ用データを生成する送信側レベルメータ用データ生成手段と、
前記ワイヤレスマイク受信機側から受信側モニタリングのレベルメータ用データを受信するためのレベルメータ用データ受信手段と、
前記送信側レベルメータ用データ生成手段より生成された前記送信側モニタリングのレベルメータ用データと前記レベルメータ用データ受信手段により受信された前記受信側モニタリングのレベルメータ用データとを表示するレベルメータ表示手段とを備え、
前記ワイヤレスマイク受信機は、
音声データ受信手段と、
前記受信側モニタリングのレベルメータ用データを生成する受信側レベルメータ用データ生成手段と、
前記受信側レベルメータ用データ生成手段により生成された前記受信側モニタリングのレベルメータ用データを前記ワイヤレスマイク送信機側へ送信するためのレベルメータ用データ送信手段と、
を備えたことを特徴とするワイヤレスマイクシステム。
【請求項２】
前記送信側レベルメータ用データ生成手段は、前記音声入力手段から入力された音声データをレベルメータ用データに変換するフィルタ手段を有し、前記受信側レベルメータ用データ生成手段は、受信した音声データをレベルメータ用データに変換するフィルタ手段を有したことを特徴とする請求項１に記載のワイヤレスマイクシステム。
【請求項３】
前記ワイヤレスマイク送信機は、前記音声データ送信手段による送信ＲＦレベルを検出する送信ＲＦレベル検出手段を備え、前記送信側レベルメータ用データ生成手段は、前記送信ＲＦレベルをレベルメータ用データに変換するフィルタ手段を有し、前記ワイヤレスマイク受信機は、前記音声データ受信手段による受信ＲＦレベルを検出する受信ＲＦレベル検出手段を備え、前記受信側レベルメータ用データ生成手段は、前記受信ＲＦレベルをレベルメータ用データに変換するフィルタ手段を有したことを特徴とする請求項１に記載のワイヤレスマイクシステム。
【請求項４】
前記ワイヤレスマイク送信機は、前記レベルメータ表示手段として送信データ用レベルメータ表示手段と受信データ用レベルメータ表示手段とを備え、さらに、前記送信データ用レベルメータ表示手段の前段に、前記ワイヤレスマイク送信機と前記ワイヤレスマイク受信機の送受信時間に相当する遅延時間だけ前記送信データ用レベルメータ表示手段への前記送信側モニタリングのレベルメータ用データの表示を遅延させる遅延手段を備えたことを特徴とする請求項１ないし３のいずれかに記載のワイヤレスマイクシステム。
【請求項５】
前記ワイヤレスマイク受信機は、前記送信側レベルメータ用データ生成手段により生成された前記送信側モニタリングのレベルメータ用データから、前記レベルメータ用データ受信手段により受信された前記受信側モニタリングのレベルメータ用データを減算する減算手段を備え、前記レベルメータ表示手段は、前記減算手段により取得した差分データを表示することを特徴とする請求項１ないし４のいずれかに記載のワイヤレスマイクシステム。
【請求項６】
相互通信が可能なワイヤレスマイク送信機とワイヤレスマイク受信機とを備えたワイヤレスマイクシステムであり、
前記ワイヤレスマイク送信機は、
音声入力手段と、
入力された音声を前記ワイヤレスマイク受信機に対して送出するための音声データ送信手段と、
送信側モニタリングのレベルメータ用データを生成する送信側レベルメータ用データ生成手段と、
前記ワイヤレスマイク受信機側から受信側モニタリングのレベルメータ用データを受信するためのレベルメータ用データ受信手段と、
前記送信側レベルメータ用データ生成手段により生成された前記送信側モニタリングのレベルメータ用データから、前記レベルメータ用データ受信手段により受信された前記受信側モニタリングのレベルメータ用データを減算する減算手段と、
前記減算手段により取得した差分データを表示する差分量表示手段とを備え、
前記ワイヤレスマイク受信機は、
音声データ受信手段と、
前記受信側モニタリングのレベルメータ用データを生成する受信側レベルメータ用データ生成手段と、
前記受信側レベルメータ用データ生成手段により生成された前記受信側モニタリングのレベルメータ用データを前記ワイヤレスマイク送信機側へ送信するためのレベルメータ用データ送信手段と、
を備えたことを特徴とするワイヤレスマイクシステム。
【請求項７】
ワイヤレスマイク受信機と共にワイヤレスマイクシステムを構成し、前記ワイヤレスマイク受信機と相互通信が可能なワイヤレスマイク送信機であって、
音声入力手段と、
入力された音声を前記ワイヤレスマイク受信機に対して送出するための音声データ送信手段と、
送信側モニタリングのレベルメータ用データを生成する送信側レベルメータ用データ生成手段と、
前記ワイヤレスマイク受信機側から受信側モニタリングのレベルメータ用データを受信するためのレベルメータ用データ受信手段と、
前記送信側レベルメータ用データ生成手段より生成された前記送信側モニタリングのレベルメータ用データと前記レベルメータ用データ受信手段により受信された前記受信側モニタリングのレベルメータ用データとを表示するレベルメータ表示手段と、
を備えたことを特徴とするワイヤレスマイク送信機。
【発明の詳細な説明】
【技術分野】
【０００１】
本発明は、音声レベルまたは通信レベルなどのモニタリング機能を備えたワイヤレスマイクシステムに関する。
【背景技術】
【０００２】
従来、ワイヤレスマイクシステムは、実際の設置場所における音声レベルまたは通信レベルなどのモニタリングを行う機能を備えている。従来のワイヤレスマイクシステムにおいて、このようなモニタリングは、専ら受信側で行われている。
【０００３】
図７は、受信機に備えられた音声モニタリングのための構成例を示している。図７において、音声レベル信号は、ＡＤ変換機３０にて、レベルメータ表示が可能なデジタルデータに変換される。レベルメータ表示回路３１は、レベルメータ表示素子に合うようにデジタルデータを制御信号に変換する。そして、受信機側レベルメータ表示部３２が、制御信号を受けて、レベルメータの表示を行う。これにより、送信機側から送信された音声データをワイヤレスマイクの受信機側でモニターすることが出来る。
【０００４】
また、特許文献１は、上記と同様の構成によって音声受信のＲＦレベルを表示するワイヤレスマイク受信機を開示している。
【特許文献１】特開２００４−２１４７５７号公報（第３ページ、図１）
【発明の開示】
【発明が解決しようとする課題】
【０００５】
しかしながら、従来のワイヤレスマイクシステムでは、ワイヤレスマイクの送信機側では、受信機で正常に受信が行われているかかが分からない。そこで、多くの場合は、ワイヤレス受信機側に接続された音声出力可能なスピーカを用いて、ワイヤレスマイク送信機の使用者に対してモニター音声が出力されていた。この場合、機器の構成上、容易に音声のモニターができないという問題点があった。例えば、ワイヤレスマイクの送信側の音声をモニターする場合は、ワイヤレスマイクの受信機側から音声を出力し、その音声をアンプ等に入力し、その出力をスピーカに出す必要があり、ワイヤレスマイクシステムとは別にモニター用の拡声システムが必要であった。また、ワイヤレスマイクの送信機単体では、ワイヤレスマイクシステムの送受信間の音声および電波状況をモニターすることができなかった。
【０００６】
本発明はこのような問題点を解決するものであって、ワイヤレスマイクの受信機に接続されたアンプやスピーカ等を必要とせずに、ワイヤレスマイク送信機にて、ワイヤレスマイクの音声または通信等の状況を簡易的にモニタリング可能とするワイヤレスマイクシステムを提供することを目的とする。
【課題を解決するための手段】
【０００７】
本発明は、相互通信が可能なワイヤレスマイク送信機とワイヤレスマイク受信機とを備えたワイヤレスマイクシステムであり、前記ワイヤレスマイク送信機は、音声入力手段と、入力された音声を前記ワイヤレスマイク受信機に対して送出するための音声データ送信手段と、送信側モニタリングのレベルメータ用データを生成する送信側レベルメータ用データ生成手段と、前記ワイヤレスマイク受信機側から受信側モニタリングのレベルメータ用データを受信するためのレベルメータ用データ受信手段と、前記送信側レベルメータ用データ生成手段より生成された前記送信側モニタリングのレベルメータ用データと前記レベルメータ用データ受信手段により受信された前記受信側モニタリングのレベルメータ用データとを表示するレベルメータ表示手段とを備え、前記ワイヤレスマイク受信機は、音声データ受信手段と、前記受信側モニタリングのレベルメータ用データを生成する受信側レベルメータ用データ生成手段と、前記受信側レベルメータ用データ生成手段により生成された前記受信側モニタリングのレベルメータ用データを前記ワイヤレスマイク送信機側へ送信するためのレベルメータ用データ送信手段とを備えている。
【０００８】
この構成により、ワイヤレスマイクシステムに相互通信機能を備え、そして、相互通信機能を利用して、ワイヤレスマイク受信機からワイヤレスマイク送信機にレベルメータ用データを送信して、ワイヤレスマイク送信機にて送受信側のレベルメータ用データを表示する。したがって、ワイヤレスマイク送信機側において、ワイヤレスマイクの送信機側と受信機側のモニター対象のレベルを視覚的に同時にモニター可能になる。
【０００９】
本発明のワイヤレスマイクシステムにおいて、前記送信側レベルメータ用データ生成手段は、前記音声入力手段から入力された音声データをレベルメータ用データに変換するフィルタ手段を有し、前記受信側レベルメータ用データ生成手段は、受信した音声データをレベルメータ用データに変換するフィルタ手段を有している。
【００１０】
この構成により、ワイヤレスマイク送信機側において、ワイヤレスマイクの送信機側と受信機側の音声レベルを視覚的に同時にモニター可能になる。
【００１１】
また、本発明のワイヤレスマイクシステムにおいて、前記ワイヤレスマイク送信機は、前記音声データ送信手段による送信ＲＦレベルを検出する送信ＲＦレベル検出手段を備え、前記送信側レベルメータ用データ生成手段は、前記送信ＲＦレベルをレベルメータ用データに変換するフィルタ手段を有し、前記ワイヤレスマイク受信機は、前記音声データ受信手段による受信ＲＦレベルを検出する受信ＲＦレベル検出手段を備え、前記受信側レベルメータ用データ生成手段は、前記受信ＲＦレベルをレベルメータ用データに変換するフィルタ手段を有している。
【００１２】
この構成により、ワイヤレスマイク送信機側において、ワイヤレスマイクシステムの送受信間の電波状況をモニター可能になる。
【００１３】
また、本発明のワイヤレスマイクシステムにおいて、前記ワイヤレスマイク送信機は、前記レベルメータ表示手段として送信データ用レベルメータ表示手段と受信データ用レベルメータ表示手段とを備え、さらに、前記送信データ用レベルメータ表示手段の前段に、前記ワイヤレスマイク送信機と前記ワイヤレスマイク受信機の送受信時間に相当する遅延時間だけ前記送信データ用レベルメータ表示手段への前記送信側モニタリングのレベルメータ用データの表示を遅延させる遅延手段を備えている。
【００１４】
この構成により、送信データ用レベルメータ表示手段と受信データ用レベルメータ表示手段における表示上の位相差を低減し、同時点のデータを表示可能になる。
【００１５】
また、本発明のワイヤレスマイクシステムにおいて、前記ワイヤレスマイク受信機は、前記送信側レベルメータ用データ生成手段により生成された前記送信側モニタリングのレベルメータ用データから、前記レベルメータ用データ受信手段により受信された前記受信側モニタリングのレベルメータ用データを減算する減算手段を備え、前記レベルメータ表示手段は、前記減算手段により取得した差分データを表示するように構成されている。
【００１６】
この構成により、送受信間におけるモニター対象のレベルの差異を表示することができ、ワイヤレスマイク受信機の使用者に対して伝送状態等の異常を知らせることが可能になる。
【００１７】
また、本発明の別態様のワイヤレスマイクシステムにおいて、相互通信が可能なワイヤレスマイク送信機とワイヤレスマイク受信機とを備えたワイヤレスマイクシステムであり、前記ワイヤレスマイク送信機は、音声入力手段と、入力された音声を前記ワイヤレスマイク受信機に対して送出するための音声データ送信手段と、送信側モニタリングのレベルメータ用データを生成する送信側レベルメータ用データ生成手段と、前記ワイヤレスマイク受信機側から受信側モニタリングのレベルメータ用データを受信するためのレベルメータ用データ受信手段と、前記送信側レベルメータ用データ生成手段により生成された前記送信側モニタリングのレベルメータ用データから、前記レベルメータ用データ受信手段により受信された前記受信側モニタリングのレベルメータ用データを減算する減算手段と、前記減算手段により取得した差分データを表示する差分量表示手段とを備え、前記ワイヤレスマイク受信機は、音声データ受信手段と、前記受信側モニタリングのレベルメータ用データを生成する受信側レベルメータ用データ生成手段と、前記受信側レベルメータ用データ生成手段により生成された前記受信側モニタリングのレベルメータ用データを前記ワイヤレスマイク送信機側へ送信するためのレベルメータ用データ送信手段とを備えている。この構成によっても、送受信間におけるモニター対象のレベルの差異を表示することができ、ワイヤレスマイク受信機の使用者に対して伝送状態等の異常を知らせることが可能になる。
【００１８】
また、本発明の別態様はワイヤレスマイク送信機であり、ワイヤレスマイク受信機と共にワイヤレスマイクシステムを構成し、前記ワイヤレスマイク受信機と相互通信が可能なワイヤレスマイク送信機であって、音声入力手段と、入力された音声を前記ワイヤレスマイク受信機に対して送出するための音声データ送信手段と、送信側モニタリングのレベルメータ用データを生成する送信側レベルメータ用データ生成手段と、前記ワイヤレスマイク受信機側から受信側モニタリングのレベルメータ用データを受信するためのレベルメータ用データ受信手段と、前記送信側レベルメータ用データ生成手段より生成された前記送信側モニタリングのレベルメータ用データと前記レベルメータ用データ受信手段により受信された前記受信側モニタリングのレベルメータ用データとを表示するレベルメータ表示手段とを備えている。この構成によっても、上述したワイヤレスマイクシステムの態様と同様の利点が得られる。
【発明の効果】
【００１９】
以上説明したように、本発明は、ワイヤレスマイクシステムに相互通信機能を備え、相互通信機能を利用して、ワイヤレスマイクの送信機側で送受信のモニターレベルを表示できる。したがって、スピーカなどの音声拡声を行わなくても、ワイヤレスマイク使用者の手元の送信機にて簡易的にモニタリングを行うことができるという効果を有するワイヤレスマイクシステムを提供することができる。
【発明を実施するための最良の形態】
【００２０】
以下、本発明の実施形態について、図面を参照して説明する。
【００２１】
（第１の実施形態）
本発明の第１の実施の形態に係るワイヤレスマイクシステムを図１に示す。第１の実施の形態では、音声レベルがモニタリングされる。
【００２２】
図１に示すように、本発明の第１の実施形態のワイヤレスシステムは、相互通信可能なワイヤレスマイク送信機１とワイヤレスマイク受信機１２とを備える。
【００２３】
ワイヤレスマイク送信機１は、音声を入力するマイクロフォン２と、入力された音声をデジタル音声データに変換するＡＤ変換機３と、ＡＤ変換機３により変換された音声データをワイヤレスマイク受信機１２側に送信するための音声データ送信部４と、ＡＤ変換機により出力された音声データをレベルメータ表示用の表示レスポンス（レベルメータ用データ）にするための音声用フィルタ５と、音声用フィルタ５の出力データを所定のビット長にダウンコンバートするデータビット長ダウンコンバータ６と、音声用フィルタ５の出力データをレベルメータ表示に必要なサンプリング周波数に落とすためのサンプリング周波数ダウンコンバータ７と、サンプリング周波数ダウンコンバータ７によりレベルメータ表示用データに変換されたデータをＬＥＤなどで表示する送信データ用レベルメータ表示部８と、ワイヤレスマイク受信機１２側から受信されたレベルメータ用データを受信するレベルメータ用データ受信部９とを備えている。音声データ送信部４とレベルメータ用データ受信部９でワイヤレスマイク送信機側の電波送受信部１０が構成されている。また、ワイヤレスマイク送信機１は、レベルメータ用データ受信部９によって受信されたレベルメータ用データをＬＥＤなどで表示する受信データ用レベルメータ表示部１１を備えている。
【００２４】
ワイヤレスマイク受信機１２は、ワイヤレスマイク送信機１から送信された電波を受信する音声データ受信部１３と、その受信したデータをＤＡ変換するＤＡ変換機１６と、ＤＡ変換したデータをアナログ音声信号として外部機器に出力する音声出力部１７と、音声データ受信部１３から受信された音声データをレベルメータ表示用データに変換するために使用される音声用フィルタ部１８と、音声用フィルタ部１８の出力データを所定のデータビット長と所定のサンプリング周波数のデータに変換するためのダウンコンバート部１９とを備える。ダウンコンバート部１９は、送信側のデータビット長ダウンコンバータおよびサンプリング周波数ダウンコンバータに相当する。図には、ダウンコンバートに使用したサンプリング周波数データとデータビット長データとが、符号２０、２１を付したブロックで示されている。さらに、ワイヤレスマイク受信機１２は、ダウンコンバート部１９の出力データ（レベルメータ用データ）とサンプリング周波数データ２０とデータビット長データ２１を伝送フレームに付加する符号化処理部２２と、符号化処理部２２で処理されたレベルメータ用データをワイヤレスマイク送信機１に送信するレベルメータ用データ送信部１４とを備えている。音声データ受信部１３とレベルメータ用データ送信部１４が、ワイヤレスマイク受信機１２の電波送受信部１５を構成している。
【００２５】
次に、第１の実施の形態に係るワイヤレスマイクシステムの動作を説明する。マイクロフォン２から入力された音声は、ＡＤ変換機３によりデジタル音声信号に変換される。このデジタル音声信号は、音声データ送信部４により、デジタル無線伝送が可能なように符号化処理とフレーム処理が施される。ワイヤレスマイク送信機１は、この音声データ送信部４により、デジタルデータを電波として送信する。
【００２６】
一方、レベルメータ用データ受信部９により、ワイヤレスマイク受信機１２側から、レベルメータ用データが取得される。このレベルメータ用データ受信部９により受信されたデータの中には、レベルメータのデータビット長データおよびサンプリング周波数データが付加されている。この付加されたレベルメータのデータビット長データを取り出すことにより、ワイヤレスマイク送信機側でのレベルメータのデータビット長が設定される。同様に、サンプリング周波数データを取り出すことにより、ワイヤレスマイク送信機１側でのレベルメータのサンプリング周波数が設定される。この処理では、データビット長データがデータビット長ダウンコンバータ６に供給され、サンプリング周波数データがサンプリング周波数ダウンコンバータ７に供給される。
【００２７】
前述のＡＤ変換機３の出力であるデジタル音声信号は、レベルメータ表示を行うため、所定の時定数を持った積分器を構成するデジタルフィルタである音声用フィルタ５に入力される。この音声用フィルタ５の出力データは、レベルメータ用データ受信部９により取得したレベルメータ用のデータビット長データを用いて、データビット長ダウンコンバータ６により、データ長がダウンコンバートされる。また、音声用フィルタ５の出力データは、レベルメータ用データ受信部９により取得したレベルメータ用のサンプリング周波数データを用いて、サンプリング周波数ダウンコンバータ７により、サンプリング周波数のダウンコンバートが行われる。
【００２８】
このようにして、レベルメータの表示用のデータとして生成されたデータは、送信データ用レベルメータ表示部８のＬＥＤなどの発光素子、あるいはＬＣＤなどを用いてレベルメータ表示される。
【００２９】
また、レベルメータ用データ受信部９により取得されたワイヤレスマイク受信機１２側のレベルメータ用データに関しても同じように、受信データ用レベルメータ表示部１１のＬＥＤなどの発光素子、あるいはＬＣＤ等を用いてレベルメータ表示される。
【００３０】
この表示により、ワイヤレスマイク送信機１の使用者は、自分自身が発している音声とワイヤレスマイク受信機１２が受信した音声レベルを同時に視覚的にモニターすることが可能となる。
【００３１】
次に、ワイヤレスマイク送信機１側に受信されるレベルメータ用データが、ワイヤレスマイク受信機１２側でどのように生成されるかを説明する。ワイヤレスマイク送信機１側から送信されたデジタル音声データは、ワイヤレスマイク受信機１２側の音声データ受信部１３により受信される。受信された音声データはレベルメータ用の音声用フィルタ１８に入力される。音声データは、レベルメータ用表示を行うための所定の時定数を持った積分器を構成するデジタルフィルタである音声用フィルタ１８でレスポンス処理され、処理されたデータが出力される。その出力データは、所定のデータビット長と所定のサンプリング周波数でダウンコンバート部１９によりダウンコンバートされる。ダウンコンバートされたレベルメータ用データは、サンプリング周波数データ２０とデータビット長データ２１とともに、符号化処理部２２で、ワイヤレスマイク送信機１へ送信可能なデータに符号化される。符号化されたレベルメータデータは、レベルメータ用データ送信部１４により、ワイヤレスマイク受信機１２からワイヤレスマイク送信機１へ送信される。
【００３２】
このようにして、ワイヤレスマイク送信機１側で、ワイヤレスマイクの送信機１側の音声レベルとワイヤレスマイク受信機１２側の音声レベルを同時に視覚的にモニターすることができる。
【００３３】
図２に、ワイヤレスマイク送信機１に設けられた送信データ用レベルメータ表示部８および受信データ用レベルメータ表示部１１の具体的な例を示す。図２は、送信データ用レベルメータ表示部８が８個のＬＥＤ素子で構成され、受信データ用レベルメータ表示部１１が８個のＬＥＤ素子で構成された場合の表示例を示す。レベルデータが入力されると、該当するビットのＬＥＤが点灯する。そして、これらのＬＥＤ列が、点灯状態によりレベル状況を判断できるレベルメータとなる。
【００３４】
このようにしてワイヤレスマイク使用者の手元の送信機１にてレベルメータの表示が行われる。したがって、ワイヤレスマイク使用者は、マイクを持つ手元で、自分自身が発生させる音声に関する送信側レベルおよび受信側レベルを簡易的にモニターすることが可能となる。一般的なワイヤレスシステムでは、受信機側で音声モニターを行うが、本発明では送信機側で音声チェックが可能となる。
【００３５】
また、本実施の形態では、ワイヤレスマイク受信機側のレベルメータのデータビット長とサンプリング周波数は、デジタル音声データのレートにより可変にすることが可能である。例えば、デジタル音声データのレートが２倍になった場合、レベルメータのデータビット長とサンプリング周波数のレートが小さく制御される。これにより、ワイヤレスマイク受信機側からワイヤレスマイク送信機側へ送信するデータ量を少なくすることが可能となる。これにより、デジタル音声データのレートを確保しつつ、送信機側と受信機側のレベルメータによるモニターが可能となる。
【００３６】
なお、図１では、ワイヤレスマイク送信機１が、ワイヤレスマイク受信機１２側から、レベルメータのデータビット長データおよびサンプリング周波数データを取得している。しかし、ワイヤレスマイクシステムの送受信間で、レベルメータのデータビット長およびサンプリング周波数が固定されてもよい。この場合、図３の構成例のように、ワイヤレスマイクの送受信間でレベルメータのデータビット長およびサンプリング周波数データを送受信する必要はなくなる。以下の実施の形態でも同様であり、すなわち、データビット長およびサンプリング周波数が固定され、送受信されなくてもよい。
【００３７】
また、本実施の形態において、レベルメータ表示は、複数ビットのデータに対応する複数のＬＥＤを用いて行われている。しかし、１個の表示部材、例えば１個のＬＥＤのみを点灯させて、レベルメータ表示を行うことも可能である。この場合、レベル量ではなく、点灯・非点灯する際の点灯スレッショルドレベルが予め設定される。そして、スレッショルドを音声レベルが超えると、ＬＥＤが点灯される。これにより、所定のレベル以上の音声が入力されているかどうかがモニターされる。
【００３８】
また、本実施の形態では、ワイヤレス受信機１２は、デジタル音声データをＤＡ変換してから出力している。しかし、外部機器がデジタル入力機器であれば、ＤＡ変換を行うことなくデジタルデータが出力されても構わない。
【００３９】
また、本実施の形態はデジタル伝送によるワイヤレスマイクシステムを想定しているが、アナログ信号伝送によるアナログワイヤレスマイクシステムで本発明が実現されても構わない。
【００４０】
以上に説明したように、第１の実施の形態に係るワイヤレスマイクシステムによれば、ワイヤレスマイクシステムに相互通信機能を備え、そして、相互通信機能を利用して、ワイヤレスマイク受信機からワイヤレスマイク送信機にレベルメータ用データを送信して、ワイヤレスマイク送信機にて送受信側のレベルメータ用データを表示する。したがって、ワイヤレスマイク送信機側において、ワイヤレスマイクの送信機側と受信機側のモニター対象のレベルを視覚的に同時にモニター可能になる。
【００４１】
そして、第１の実施の形態に係るワイヤレスマイクシステムによれば、ワイヤレスマイク送信機側において、ワイヤレスマイクの送信機側と受信機側の音声レベルを視覚的に同時にモニター可能になる。
【００４２】
（第２の実施の形態）
本発明の第２の実施の形態に係るワイヤレスマイクシステムを図４を用いて説明する。特に断りがない限り、第２の実施の形態のワイヤレスマイクシステムは、第１の実施の形態と同じとする。
【００４３】
第２の実施の形態が第１の実施の形態と異なる点は、ワイヤレスマイク送信機側の送信データ用レベルメータ表示部８の処理の直前に遅延部２３の処理が挿入されている点である。この遅延部２３は、ＤＲＡＭなどのメモリ上の書き込み・読込み処理により実現される。遅延部２３は、ワイヤレスマイク送信機１とワイヤレスマイク受信機１２の送受信時間に相当する遅延時間だけ送信データ用レベルメータ表示部８へのデータ表示を遅延させる。例えば、ワイヤレスマイク送信機１とワイヤレスマイク受信機１２の往復の遅延時間量が４ｍｓである場合、送信側音声のレベルメータ用データが、遅延部２３により４ｍｓだけ遅延され、それから、送信データ用レベルメータ表示部８に供給され、そして、レベルメータ表示が行われる。これにより、ワイヤレスマイクの送信機側と受信機側のレベルメータ表示を同位相で表示することができる。そして、送信機側と受信機側とのレベルの違いを視覚的に認知しやすくさせる効果が得られる。
【００４４】
（第３の実施の形態）
本発明の第３の実施の形態に係るワイヤレスマイクシステムを図５を用いて説明する。特に断りがない限り、第１の実施の形態のワイヤレスマイクシステムは、第１の実施の形態と同じとする。
【００４５】
第３の実施の形態が第１の実施の形態と異なる点は、送信機側のレベルメータ用データと受信機のレベルメータ用データの差分データをレベルメータに表示するようにワイヤレスマイクシステムが構成されていることである。
【００４６】
具体的には、ワイヤレスマイク送信機１が、減算部２４と減算結果表示部（差分量表示部）２５とを備えている。減算部２４は、ワイヤレスマイク送信機１側のレベルメータ用データから、ワイヤレスマイク受信機１２側のレベルメータ用データを減算する。そして、演算結果表示部２５が、減算部２４で得られた差分データを、送受信間の音声データの差分量として表示する。演算結果表示部２５は、第１の実施の形態と同様にＬＥＤ列で構成されてよい（ただし、１本のＬＥＤ列が設けられればよい）。これにより、ワイヤレスマイクの送信機と受信機間の音声レベルの差異に注目して、受信機側で所定の音声レベルが達成されているかどうかをモニターすることが可能となる。送信機側から受信機側へ正常に音声が送信されている場合は、減算結果表示部２５には何も表示されない。しかし、送受信状態に異常が発生した場合、減算結果の表示部２５に差分レベル量が表示される。この差分表示が、アラーム表示となり、使用者に警告を発することができる。
【００４７】
このように、本システムでは、一つのレベルメータ表示部のレベル表示により、送信機側と受信機側の音声レベルの差異を認識できるるので、音声および伝送状態が使用者に一目で分かる。差分が発生した場合、すなわち異常が発生した場合に、レベルメータ表示が現れる。そして、ワイヤレスマイク送信機の使用者は、手元のマイクの表示を見て、即時に異常が分かる。
【００４８】
以上に第３の実施の形態について説明した。第３の実施の形態によれば、送受信間におけるモニター対象のレベルの差異を表示することができ、ワイヤレスマイク受信機の使用者に対して異常を知らせることができる。
【００４９】
（第４の実施の形態）
本発明の第４の実施の形態に係るワイヤレスマイクシステムを図６を用いて説明する。特に断りがない限り、第４の実施の形態のワイヤレスマイクシステムは、第１の実施の形態と同じとする。
【００５０】
第４の実施の形態と第１の実施の形態では、モニタリング対象が異なっている。第１の実施の形態では、音声レベルがモニターされたが、第４の実施の形態では、通信状態がモニターされ、具体的には、ＲＦレベルがモニターされる。
【００５１】
図６では、ワイヤレスマイク送信機１が、送信ＲＦレベル検出部２６と送信ＲＦ表示用フィルタ２７とを備えている。ワイヤレスマイク送信機１の音声データ送信部４にて、ワイヤレスマイク送信機１から送信されるＲＦ量が決まる。このＲＦ量が送信ＲＦレベル検出部２６によりＲＦレベルデータへ変換される。変換されたＲＦレベルデータは、送信ＲＦ表示用フィルタ２７により、表示レスポンスとして最適な時定数を持ったレベルメータ用データに変換され、フィルタ出力値として出力される。このレベルメータ用データが、前述の実施の形態と同様に、データビット長ダウンコンバータ６等に供給され、処理されて表示される。
【００５２】
また、ワイヤレスマイク受信機１２は、受信ＲＦレベル検出部２８と受信ＲＦ表示用フィルタ２９とを備えている。受信ＲＦレベル検出部２８により、受信ＲＦレベルが取得される。このＲＦレベルデータは、受信ＲＦ表示用フィルタ２９に入力され、レベルメータ表示に最適な時定数をもったレベルメータ用データに変換される。このデータは、前述の実施の形態における説明と同じように、ワイヤレスマイク送信機１側に送信される。ここでは、レベルメータ用データが、ダウンコンバート部１９および符号化処理部２２で処理されて、レベルメータ用データ送信部１４から送出される。
【００５３】
そして、ワイヤレスマイク送信機１では、送信ＲＦデータが送信データ用レベルメータ表示部８に表示され、受信ＲＦデータが受信データ用レベルメータ表示部１１に表示される。これにより、ワイヤレスマイク送信機１上で送信ＲＦレベルと同時に、受信ＲＦレベルをモニターすることが可能となる。ワイヤレスマイク送信機１の使用者は、受信機側の表示を見ずに、手元のワイヤレスマイクのレベルメータ表示により、電波状況を確認しながらワイヤレスマイクを使用することが可能となる。
【００５４】
以上に説明したように、第４の実施の形態によれば、ワイヤレスマイク送信機側において、ワイヤレスマイクの送信機側と受信機側の音声レベルを視覚的に同時にモニター可能になる。
【００５５】
なお、送受信ＲＦレベルの表示の場合も、第２の実施の形態と同じように、送信ＲＦレベルの処理側に遅延部を持たせ、同位相の送受信ＲＦ表示を行ってもよい。遅延部は、第２の実施の形態と同様に、送信データ用レベルメータ表示部８の前段に備えられる。
【００５６】
また、送受信ＲＦレベルの表示の場合も、第３の実施の形態と同じように、送信ＲＦレベルと受信ＲＦレベルの差分を表示させてもよい。この場合、ワイヤレスマイク送信機１が、第３の実施の形態と同様に、減算部および減算結果表示部を備える。これにより、差分量のレベルメータ表示が、電波状況の悪化レベルとして行われる。そして、電波状況悪化のアラームを発することができる。
【００５７】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５８】
以上のように、本発明にかかるワイヤレスマイクシステムは、ワイヤレスマイク送信機にて送受信側の状況を簡易的にモニタリング可能とするという効果を有し、ワイヤレスマイクシステム等として有用である。
【図面の簡単な説明】
【００５９】
【図１】本発明の第１の実施の形態に係るワイヤレスマイクシステムの概略のブロック図
【図２】本発明の第１の実施の形態におけるワイヤレスマイク送信機のレベルメータ表示例の図
【図３】レベルメータ表示データのサンプリング周波数とデータ長を固定化した構成のブロック図
【図４】本発明の第２の実施の形態に係るワイヤレスマイクシステムの概略のブロック図
【図５】本発明の第３の実施の形態に係るワイヤレスマイクシステムの概略のブロック図
【図６】本発明の第４の実施の形態に係るワイヤレスマイクシステムの概略のブロック図
【図７】従来例を示す図
【符号の説明】
【００６０】
１：ワイヤレスマイク送信機
２：マイクロフォン
３：ＡＤ変換機
４：音声データ送信部
５：音声用フィルタ
６：データビット長ダウンコンバータ
７：サンプリング周波数ダウンコンバータ
８：送信データ用レベルメータ表示部
９：レベルメータ用データ受信部
１０：電波送受信部
１１：受信データ用レベルメータ表示部
１２：ワイヤレスマイク受信機
１３：音声データ受信部
１４：レベルメータ用データ送信部
１５：電波送受信部
１６：ＤＡ変換機
１７：音声出力部
１８：音声用フィルタ
１９：ダウンコンバート部
２０：サンプリング周波数データ
２１：データビット長データ
２２：符号化処理部
２３：遅延部
２４：減算部
２５：減算結果表示部
２６：送信ＲＦレベル検出部
２７：送信ＲＦ表示用フィルタ部
２８：受信ＲＦレベル検出部
２９：受信ＲＦ表示用フィルタ部
【図１】
2006238038.tif 000003
【図２】
2006238038.tif 000004
【図３】
2006238038.tif 000005
【図４】
2006238038.tif 000006
【図５】
2006238038.tif 000007
【図６】
2006238038.tif 000008
【図７】
2006238038.tif 000009